(57)【要約】【課題】キャリアアグリゲーション技術において、適切な品質のＳＣｅｌｌを迅速に追加することができる技術を提供する。【解決手段】キャリアアグリゲーションをサポートする移動通信システムにおいて基地局と通信を行う端末であって、前記基地局から受信する報知情報に含まれるセカンダリセルの候補を示す情報に基づいて、セルの品質を測定する測定手段と、前記測定手段により測定された前記セルの品質を示す情報を、前記基地局に通知する送信手段と、を有する端末を提供する。【選択図】図６
2016152600.tif 000002
【特許請求の範囲】
【請求項１】
キャリアアグリゲーションをサポートする移動通信システムにおいて基地局と通信を行う端末であって、
前記基地局から受信する報知情報に含まれるセカンダリセルの候補を示す情報に基づいて、セルの品質を測定する測定手段と、
前記測定手段により測定された前記セルの品質を示す情報を、前記基地局に通知する送信手段と、
を有する端末。
【請求項２】
前記測定手段は、当該端末が待ち受け状態である場合に、前記セルの品質を測定し、測定結果を記憶手段に格納する、請求項１に記載の端末。
【請求項３】
前記測定手段は、所定の時間間隔で前記セルの品質を測定する、請求項１又は２に記載の端末。
【請求項４】
前記基地局との間で送受信されるコネクション制御信号を処理する処理手段を有し、
前記処理手段は、前記基地局から、前記セカンダリセルの候補であるセルのうち、いずれか1つ以上のセカンダリセルの追加を指示された場合、指示された１つ以上のセカンダリセルを追加する処理を行う、請求項１乃至３のいずれか一項に記載の端末。
【請求項５】
前記送信手段は、当該端末が待ち受け状態から無線コネクションが確立された状態に遷移するまでの間に、前記セルの品質を示す情報を前記基地局に通知する、請求項１乃至４のいずれか一項に記載の端末。
【請求項６】
前記送信手段は、前記セルの品質を示す情報をＲＲＣ  Ｃｏｎｎｅｃｔｉｏｎ  Ｒｅｑｕｅｓｔ信号又はＲＲＣ  Ｃｏｎｎｅｃｔｉｏｎ  Ｓｅｔｕｐ  Ｃｏｍｐｌｅｔｅ信号に含めて前記基地局に通知する、請求項１乃至５のいずれか一項に記載の端末。
【請求項７】
前記測定手段は、セカンダリセルの候補であるセルの品質の測定を、コネクション制御信号を介して指示された場合、指示されたセルの品質を測定し、
前記送信手段は、測定された前記指示されたセルの品質を示す情報を、前記基地局に通知する、請求項１乃至６のいずれか一項に記載の端末。
【請求項８】
キャリアアグリゲーションをサポートする移動通信システムにおいて基地局と通信を行う端末が行う通信制御方法であって、
前記基地局から受信する報知情報に含まれるセカンダリセルの候補を示す情報に基づいて、セルの品質を測定する測定ステップと、
前記測定ステップにより測定された前記セルの品質を示す情報を、前記基地局に通知する送信ステップと、
を有する通信制御方法。
【請求項９】
キャリアアグリゲーションをサポートし、基地局と、前記基地局と通信を行う端末とを有する移動通信システムが行う通信制御方法であって、
前記基地局が、セカンダリセルの候補を記憶手段に記憶する記憶ステップと、
前記基地局が、前記セカンダリセルの候補を示す情報を含む報知情報を送信する送信ステップと、
前記端末が、前記基地局から受信する報知情報に含まれる前記セカンダリセルの候補を示す情報に基づいて、セルの品質を測定する測定ステップと、
前記端末が、前記測定ステップにより測定された前記セルの品質を示す情報を、前記基地局に通知する送信ステップと、
を有する通信制御方法。
【発明の詳細な説明】
【技術分野】
【０００１】
本発明は、端末及び通信制御方法に関する。
【背景技術】
【０００２】
ＬＴＥ（Long Term Evolution）システムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションを用いることで、従来のＬＴＥ通信よりも広い帯域幅の利用が可能になり、通信の高速化及び大容量化を図ることができる。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、端末に対して、接続性を担保する信頼性の高いセルであるＰＣｅｌｌ（Ｐｒｉｍａｒｙ  Ｃｅｌｌ：プライマリセル）及び付随的なセルであるＳＣｅｌｌ（Ｓｅｃｏｎｄａｒｙ  Ｃｅｌｌ：セカンダリセル）が設定される。端末は、第１に、ＰＣｅｌｌに接続し、必要に応じて、ＳＣｅｌｌを追加することができる。
【０００４】
ＳＣｅｌｌは、ＰＣｅｌｌに追加されて端末に対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、端末に対して設定された直後は、非アクティブ状態（ｄｅａｃｔｉｖａｔｅ状態）であるため、アクティブ化することで初めて通信可能（スケジューリング可能）となるセルである。
【０００５】
図１はＣＡの概要を説明するための図である。キャリアアグリゲーション（以下、「ＣＡ」という）では、図１（ａ）に示すように、ＰＣｅｌｌとＳＣｅｌｌとが重畳されるように通信エリアが形成される。「ａ」に示す範囲は、ＰＣｅｌｌのみが存在するエリアであり、「ｂ」に示す範囲は、ＰＣｅｌｌとＳＣｅｌｌとが重畳して存在するエリアである。「ａ」の範囲では、端末はＰＣｅｌｌのみを用いて通信を行うが、「ｂ」の範囲では、端末はＣＡ状態に遷移することができる。なお、ＣＡ状態とは、ＰＣｅｌｌに加え、１つ以上のＳＣｅｌｌを同時に利用して通信を行っている状態をいう。
【０００６】
図１（ｂ）は、ＣＡにおける端末の状態遷移を示している。ＬＴＥにおいて、端末は、ＲＲＣ＿Ｃｏｎｎｅｃｔｅｄと呼ばれる状態と、ＲＲＣ＿Ｉｄｌｅと呼ばれる待ち受け中の状態との２つの状態をとり得る。ＲＲＣ＿Ｃｏｎｎｅｃｔｅｄと呼ばれる状態は、いずれかのセルを介して無線コネクションが確立されている状態であり、ＲＲＣ＿Ｉｄｌｅと呼ばれる状態は、無線コネクションが切断されている状態である。
【０００７】
ＲＲＣ＿Ｉｄｌｅ状態の端末は、通信を開始する際に基地局との間で無線コネクションを確立（Ｓ１）し、ＲＲＣ＿Ｃｏｎｎｅｃｔｅｄ状態に遷移する。この状態では、端末は、ＰＣｅｌｌのみを用いて通信を行っている。続いて、ＣＡが開始されてＳＣｅｌｌが追加されると（Ｓ２）、端末は、ＣＡ状態に遷移する。続いて、ＣＡが終了してＳＣｅｌｌが削除されると（Ｓ３）、端末は再びＰＣｅｌｌのみを用いて通信を行う。また、ＰＣｅｌｌの受信品質が劣化した等の理由により再接続が行われる場合も、ＳＣｅｌｌが削除され（Ｓ４）、端末は再びＰＣｅｌｌのみを用いて通信を行うことになる。
【０００８】
以上説明したように、端末は、ＲＲＣ＿Ｃｏｎｎｅｃｔｅｄ状態において、ＰＣｅｌｌのみを用いて通信を行っている状態と、ＣＡ状態（ＰＣｅｌｌ及びＳＣｅｌｌを用いて通信を行っている状態）とをとり得る。
【先行技術文献】
【非特許文献】
【０００９】
【非特許文献１】３ＧＰＰ  ＴＳ  ３６．３３１  Ｖ１２．４．１  （２０１４−１２）
【発明の概要】
【発明が解決しようとする課題】
【００１０】
しかしながら、従来のＣＡ技術では、ＲＲＣ＿Ｉｄｌｅ状態の端末は、迅速かつ適切な品質のＳＣｅｌｌが追加されたＣＡ状態で通信を開始することができなかった。
【００１１】
図２は、課題を説明するための図である。図２に示す処理手順は、従来のＣＡ技術において、ＳＣｅｌｌが追加されるまでの処理手順を示している。まず、端末と基地局との間で、通信開始準備手順Ａが行われる（Ｓ１１）。通信開始準備手順Ａが完了することで、端末はＲＲＣ＿Ｉｄｌｅの状態からＲＲＣ＿Ｃｏｎｎｅｃｔｅｄの状態に遷移する。
【００１２】
続いて、通信開始準備手順Ｂにおいて、端末と基地局との間で無線ベアラの設定等が行われる（Ｓ１２）。また、通信開始準備手順Ｂにおいて、基地局は、端末に対してＳＣｅｌｌ候補セルの品質を測定させるように指示する。ここで、「ＳＣｅｌｌ候補セル」とは、基地局が形成している複数のセルのうち、ＣＡを行う際にＳＣｅｌｌとして用いることができるセルのことである。
【００１３】
端末は、ＳＣｅｌｌ候補セルの品質測定を開始する（Ｓ１３）と共に、ＰＣｅｌｌを用いて基地局との間で通信を開始する（Ｓ１４）。続いて、端末は、ＳＣｅｌｌ候補セルの品質測定が完了すると、測定したＳＣｅｌｌ候補セルの品質測定結果を基地局に報告する（Ｓ１５）。続いて、基地局は、端末から報告された品質測定結果から、適切な品質のＳＣｅｌｌを選択し、選択したＳＣｅｌｌを追加するように端末に指示する（Ｓ１６）。続いて、端末は、ＰＣｅｌｌと、指示されたＳＣｅｌｌとを用いてＣＡによる通信を開始する（Ｓ１７）。
【００１４】
ここで、端末は、ＰＣｅｌｌを用いて通信を開始してから、ＣＡ状態で通信を開始するまでの時間（Ｔ１）は、ＣＡ状態での通信を行うことができなかった。すなわち、従来のＣＡ技術では、ＲＲＣ＿Ｉｄｌｅ状態の端末は、一旦ＰＣｅｌｌのみを用いた状態で通信を開始し、所定の処理を行った後でＣＡ状態での通信を開始する必要があった。
【００１５】
開示の技術は上記に鑑みてなされたものであって、キャリアアグリゲーション技術において、適切な品質のＳＣｅｌｌを迅速に追加することを可能にする技術を提供することを目的とする。
【課題を解決するための手段】
【００１６】
開示の技術の端末は、キャリアアグリゲーションをサポートする移動通信システムにおいて基地局と通信を行う端末であって、前記基地局から受信する報知情報に含まれるセカンダリセルの候補を示す情報に基づいて、セルの品質を測定する測定手段と、前記測定手段により測定された前記セルの品質を示す情報を、前記基地局に通知する送信手段と、を有する。
【発明の効果】
【００１７】
開示の技術によれば、キャリアアグリゲーション技術において、適切な品質のＳＣｅｌｌを迅速に追加することを可能にする技術を提供することができる。
【図面の簡単な説明】
【００１８】
【図１】ＣＡの概要を説明するための図である。
【図２】課題を説明するための図である。
【図３】実施の形態に係る通信システムの構成を示す図である。
【図４】実施の形態に係る基地局の機能構成の一例を示す図である。
【図５】実施の形態に係る端末の機能構成の一例を示す図である。
【図６】実施の形態に係る通信システムの処理手順の一例を示すシーケンス図である。
【図７】実施の形態に係る基地局の処理手順の一例を示すフローチャートである。
【図８】実施の形態に係る端末の処理手順の一例を示すフローチャートである。
【発明を実施するための形態】
【００１９】
以下、図面を参照して本発明の実施の形態を説明する。なお、以下で説明する実施の形態は一例に過ぎず、本発明が適用される実施の形態は、以下の実施の形態に限られるわけではない。本実施の形態では、ＬＴＥの移動通信システムを対象とするが、本発明はＬＴＥに限らず他の移動通信システムにも適用可能である。また、本実施の形態では、キャリアアグリゲーション技術が導入されている移動通信システムである前提で説明するが、これに限定されるわけではない。
【００２０】
＜システム全体構成＞
図３は、実施の形態に係る通信システムの構成を示す図である。図３に示すように、本実施の形態における通信システムは、基地局１と端末２とを含む移動通信システムであり、基地局１と端末２との間でＣＡを行うことが可能である。基地局１は、２つのアンテナ３を有する。アンテナ３ａはＰＣｅｌｌを形成しており、アンテナ３ｂはＳＣｅｌｌを形成している。
【００２１】
図３では、基地局１と端末２とはそれぞれ１つずつ示されているが、これは図示の便宜上のものであり、それぞれ複数存在するようにしてもよい。また、図３では、アンテナ３が２つ示されているが、これも図示の便宜上のものであり、３つ以上のアンテナ３が存在するようにしてもよい。また、図３では、ＳＣｅｌｌが１つ示されているが、これも図示の便宜上のものであり、複数のＳＣｅｌｌが存在するようにしてもよい。また、基地局１とアンテナ３との間に、光ファイバ等で接続されるＲＲＥ（Remote Radio Equipment）が備えられる構成であってもよい。また、図３では、ＰＣｅｌｌが形成するエリアとＳＣｅｌｌが形成するエリアとは同一範囲ではないが、ＰＣｅｌｌが形成するエリアとＳＣｅｌｌが形成するエリアとが同一範囲となるように形成されていてもよいし、ＰＣｅｌｌが形成するエリアの中に、ＳＣｅｌｌが形成するエリアが全て含まれるように形成されていてもよい。また、図３では、ＰＣｅｌｌエリアとＳＣｅｌｌエリアとが固定的に示されているが、これも図示の便宜上のものである。すなわち、端末２によっては、アンテナ３ｂが形成するセルがＰＣｅｌｌになり、アンテナ３ａが形成するセルがＳＣｅｌｌになる場合もあり得る。
【００２２】
基地局１は、無線を通じて端末２との間で通信を行う。基地局１は、プロセッサなどのＣＰＵ、ＲＯＭ、ＲＡＭ又はフラッシュメモリなどのメモリ装置、端末２等と通信するためのアンテナ３、隣接する基地局及びコアネットワーク等と通信するための通信インターフェース装置などのハードウェアリソースにより構成される。基地局の各機能及び処理は、メモリ装置に格納されているデータやプログラムをプロセッサが処理又は実行することによって実現されてもよい。しかしながら、基地局１は、上述したハードウェア構成に限定されず、他の何れか適切なハードウェア構成を有してもよい。
【００２３】
端末２は、無線を通じて基地局１及びコアネットワーク等と通信を行う機能を有する。端末２は、例えば、携帯電話、スマートフォン、タブレット、モバイルルータ、ウェアラブル端末などである。端末２は、通信機能を有する機器であれば、どのような端末２であってもよい。端末２は、プロセッサなどのＣＰＵ、ＲＯＭ、ＲＡＭ又はフラッシュメモリなどのメモリ装置、基地局１と通信するためのアンテナ、ＲＦ（Radio Frequency）装置などのハードウェアリソースにより構成される。端末２の各機能及び処理は、メモリ装置に格納されているデータやプログラムをプロセッサが処理又は実行することによって実現されてもよい。しかしながら、端末２は、上述したハードウェア構成に限定されず、他の何れか適切なハードウェア構成を有してもよい。
【００２４】
＜機能構成＞
（基地局）
図４は、実施の形態に係る基地局の機能構成の一例を示す図である。図４に示すように、基地局１は、ＳＣｅｌｌ候補セル情報記憶部１０１と、報知情報作成部１０２と、データ送信部１０３と、データ受信部１０４と、ＲＲＣ処理部１０５と、ＳＣｅｌｌ追加判定部１０６とを有する。図４は、基地局１において本発明の実施の形態に特に関連する機能部のみを示すものであり、少なくともＬＴＥに準拠した動作を行うための図示しない機能も有するものである。また、図４に示す機能構成は一例に過ぎない。本実施の形態に係る動作を実行できるのであれば、機能区分や機能部の名称はどのようなものでもよい。
【００２５】
ＳＣｅｌｌ候補セル情報記憶部１０１は、例えばＲＡＭ、ＲＯＭ等を用いて実現され、ＳＣｅｌｌ候補セルに関する情報（以下、「ＳＣｅｌｌ候補セル情報」という）を格納する。ＣＡは、複数のＳＣｅｌｌを利用することが可能であるため、ＳＣｅｌｌ候補セル情報には１以上のセルに関する情報が含まれ得る。
【００２６】
ＳＣｅｌｌ候補セル情報は、例えば、管理者や保守者等により、保守システム等を介して予め設定されるようにしてもよい。ＳＣｅｌｌ候補セル情報には、例えば、セルを一意に識別するセル識別子及びセルの周波数を示す情報等が、１以上のセルごとに対応づけられて格納される。
【００２７】
報知情報作成部１０２は、ＳＣｅｌｌ候補セル情報記憶部１０１からＳＣｅｌｌ候補セル情報を読出し、読み出したＳＣｅｌｌ候補セル情報を含む報知情報を作成する。また、報知情報作成部１０２は、作成した報知情報を、データ送信部１０３を介して端末２に向けて送信する。
【００２８】
データ送信部１０３は、端末２に向けて各種データ又は制御信号等を送信する。データ受信部１０４は、端末２から各種データ又は制御信号等を受信する。
【００２９】
ＲＲＣ処理部１０５は、端末２との間で送受信されるＲＲＣメッセージの処理を行うとともに、ＣＡ情報の設定／変更／管理、構成変更等の処理を行う機能を有する。また、ＲＲＣ処理部１０５は、端末２ごとのＲＲＣ状態（ＲＲＣ＿Ｉｄｌｅ状態及びＲＲＣ＿Ｃｏｎｎｅｃｔｅｄ状態）を管理する。
【００３０】
ＳＣｅｌｌ追加判定部１０６は、データ受信部１０４及びＲＲＣ処理部１０５を介して、端末２から各ＳＣｅｌｌの品質測定結果を受信し、受信した各ＳＣｅｌｌの品質測定結果に基づき、端末２に追加を指示するＳＣｅｌｌを選択する。なお、ＳＣｅｌｌ追加判定部１０６は、複数のＳＣｅｌｌを選択するようにしてもよい。また、ＳＣｅｌｌ追加判定部１０６は、選択したＳＣｅｌｌを端末２に追加させるための制御信号を、ＲＲＣ処理部１０５を介して端末２に送信する。
【００３１】
（端末）
図５は、実施の形態に係る端末の機能構成の一例を示す図である。図５に示すように、端末２は、データ受信部２０１と、データ送信部２０２と、ＲＲＣ処理部２０３と、品質測定部２０４と、品質測定結果記憶部２０５とを有する。図５は、端末２において本発明の実施の形態に特に関連する機能部のみを示すものであり、少なくともＬＴＥに準拠した動作を行うための図示しない機能も有するものである。また、図５に示す機能構成は一例に過ぎない。本実施の形態に係る動作を実行できるのであれば、機能区分や機能部の名称はどのようなものでもよい。
【００３２】
データ受信部２０１は、基地局１から各種データ又は制御信号等を受信する。データ送信部２０２は、基地局１に向けて各種データ又は制御信号等を送信する。
【００３３】
ＲＲＣ処理部２０３は、端末２との間で送受信されるＲＲＣメッセージの処理を行うとともに、ＣＡ情報の設定／変更／管理、構成変更等の処理を行う機能を有する。また、ＲＲＣ処理部２０３は、ＣＡ設定において、基地局から指示されたＳＣｅｌｌを追加する。また、ＲＲＣ処理部２０３は、端末２のＲＲＣ状態（ＲＲＣ＿Ｉｄｌｅ状態及びＲＲＣ＿Ｃｏｎｎｅｃｔｅｄ状態）を管理する。
【００３４】
品質測定部２０４は、報知情報に含まれるＳＣｅｌｌ候補セル情報に基づいて、端末２が受信可能なＳＣｅｌｌ候補セルの品質を測定し、品質測定結果を品質測定結果記憶部２０５に格納する。
【００３５】
品質測定結果記憶部２０５は、例えばＲＡＭ、ＲＯＭ等を用いて実現され、品質測定部２０４で測定された、ＳＣｅｌｌ候補セルの品質測定結果を記憶する。
【００３６】
＜処理手順＞
（処理シーケンス）
実施の形態に係る通信システムは、報知情報にＳＣｅｌｌ候補セル情報を含めるようにしておき、ＲＲＣ＿Ｉｄｌｅ状態の端末２が、ＲＲＣ＿Ｃｏｎｎｅｃｔｅｄ状態に遷移する前に予めＳＣｅｌｌ候補セルの品質を測定することができるようにする。更に、実施の形態に係る通信システムは、端末２が通信を開始する際に端末２と基地局１との間で送受信される制御信号を用いて、端末２が予め測定したＳＣｅｌｌ候補セルの品質と、ＣＡに用いるＳＣｅｌｌの指示を通知し合うようにする。
【００３７】
図６は、実施の形態に係る通信システムの処理手順の一例を示すシーケンス図である。図６を用いて、基地局１と端末２との間でＣＡ状態での通信が開始されるまでの処理手順を説明する。
【００３８】
ステップＳ３０１で、基地局１の報知情報作成部１０２は、ＳＣｅｌｌ候補セル情報記憶部１０１からＳＣｅｌｌ候補セル情報を読出し、読み出したＳＣｅｌｌ候補セル情報を含む報知情報を作成する。基地局１のデータ送信部１０３は、作成された報知情報を端末２に向けて送信する。なお、図３の例では、基地局１は２つのセルを形成している。この場合、アンテナ３ａが形成するセルの報知情報に含まれるＳＣｅｌｌ候補セル情報には、アンテナ３ｂが形成するセルに関する情報が格納され、アンテナ３ｂが形成するセルの報知情報に含まれるＳＣｅｌｌ候補セル情報には、アンテナ３ａが形成するセルに関する情報が格納されることになる。これは、どちらのセルをＰＣｅｌｌとして用いるのかは、端末２ごとに異なることがあり得るためである。
【００３９】
ステップＳ３０２で、端末２の品質測定部２０４は、報知情報に含まれるＳＣｅｌｌ候補セル情報に基づいて、端末２が受信可能なＳＣｅｌｌ候補セルの品質を測定し、品質測定結果を品質測定結果記憶部２０５に格納する。品質測定部２０４が測定するセルの品質とは、例えば、セル毎のＲＳＲＰ（Reference Signal Received Power）、及びＲＳＲＱ（Reference Signal Received Quality）である。
【００４０】
また、品質測定部２０４は、所定の時間間隔で、端末２が受信可能なＳＣｅｌｌ候補セルの品質を繰り返し測定するようにし、最新の測定結果を品質測定結果記憶部２０５に格納するようにしてもよい。端末２は移動することが前提であり、また、ＰＣｅｌｌが形成するエリアとＳＣｅｌｌが形成するエリアとが必ずしも同一とは限られないため、報知情報を受信した場所において、ＳＣｅｌｌ候補セルの品質を測定できない場合も想定され得るためである。
【００４１】
また、品質測定部２０４は、例えば、端末２が備えるＧＰＳ（Global Positioning System）や各種センサ等により端末２の移動距離を検出し、検出した移動距離に基づいて、所定の時間間隔を決定するようにしてもよい。例えば、品質測定部２０４は、検出された移動距離が短い場合、所定の時間間隔を長くするようにして、検出された移動距離が長い場合、所定の時間間隔を短くするようにしてもよい。
【００４２】
ステップＳ３０３で、端末２のＲＲＣ処理部２０３は、通信を開始するために、データ送信部２０２及びデータ受信部２０１を介して、基地局１との間で通信開始準備手順Ａを開始する。端末２のＲＲＣ処理部２０３は、ステップＳ３０２で測定したＳＣｅｌｌ候補セルの品質測定結果を品質測定結果記憶部２０５から読出し、読出したＳＣｅｌｌ候補セルの品質測定結果を、通信開始準備手順Ａにおける制御信号に含めて基地局１に通知する。
【００４３】
なお、端末２のＲＲＣ処理部２０３は、品質測定結果記憶部２０５にＳＣｅｌｌ候補セルの品質測定結果が格納されていない場合は、品質測定が完了していない旨を基地局１に通知するようにしてもよい。ＰＣｅｌｌエリアとＳＣｅｌｌエリアが必ずしも同一範囲でなく、端末２は、ＳＣｅｌｌ候補セルの品質を測定できない場合もあり得るからである。
【００４４】
なお、通信開始準備手順Ａで送受信される制御信号は、例えば、端末２から基地局１に送信されるＲＲＣ  Ｃｏｎｎｅｃｔｉｏｎ  Ｒｅｑｕｅｓｔ信号、基地局１から端末２に送信されるＲＲＣ  Ｃｏｎｎｅｃｔｉｏｎ  Ｓｅｔｕｐ信号、及び端末２から基地局１に送信されるＲＲＣ  Ｃｏｎｎｅｃｔｉｏｎ  Ｓｅｔｕｐ  Ｃｏｍｐｌｅｔｅ信号である。端末２のＲＲＣ処理部２０３は、例えば、ＲＲＣ  Ｃｏｎｎｅｃｔｉｏｎ  Ｒｅｑｕｅｓｔ信号又はＲＲＣ  Ｃｏｎｎｅｃｔｉｏｎ  Ｓｅｔｕｐ  Ｃｏｍｐｌｅｔｅ信号に、ＳＣｅｌｌ候補セルの品質測定結果を含めるようにしてもよい。なお、ステップＳ３０３の処理手順が完了すると、端末２はＲＲＣ＿Ｉｄｌｅ状態からＲＲＣ＿Ｃｏｎｎｅｃｔｅｄ状態に遷移する。
【００４５】
ステップＳ３０４で、基地局１のＳＣｅｌｌ追加判定部１０６は、ステップＳ３０３で端末２から通知されたＳＣｅｌｌ候補セルの品質測定結果に基づき、適切な品質のＳＣｅｌｌを選択する。なお、ＳＣｅｌｌ追加判定部１０６は、複数のＳＣｅｌｌを選択するようにしてもよい。
【００４６】
ステップＳ３０５で、基地局１のＲＲＣ処理部１０５は、データ送信部１０３及びデータ受信部１０４を介して、端末２との間で通信開始準備手順Ｂを開始する。通信開始準備手順Ｂでは無線ベアラの設定等が行われるが、同時に、基地局１のＲＲＣ処理部１０５は、端末２に対し、ステップＳ３０４で選択したＳＣｅｌｌを追加するように指示する。
【００４７】
なお、通信開始準備手順Ａで送受信される制御信号は、例えば、基地局１から端末２に送信されるＲＲＣ  Ｃｏｎｎｅｃｔｉｏｎ  Ｒｅｃｏｎｆｉｇｕｒａｔｉｏｎ信号、及び端末２から基地局１に送信されるＲＲＣ  Ｃｏｎｎｅｃｔｉｏｎ  Ｒｅｃｏｎｆｉｇｕｒａｔｉｏｎ  Ｃｏｍｐｌｅｔｅ信号である。基地局１のＲＲＣ処理部１０５は、例えば、ＲＲＣ  Ｃｏｎｎｅｃｔｉｏｎ  Ｒｅｃｏｎｆｉｇｕｒａｔｉｏｎ信号に、ステップＳ３０４で選択したＳＣｅｌｌを追加するように指示する信号を含めるようにしてもよい。
【００４８】
ステップＳ３０６で、端末２のＲＲＣ処理部２０３等は、ステップＳ３０５で追加するように指示されたＳＣｅｌｌを追加する処理を行い、ＰＣｅｌｌ及び追加したＳＣｅｌｌを用いてＣＡ状態での通信を開始する。
【００４９】
以上、基地局１と端末２との間でＣＡ状態での通信が開始されるまでの処理手順を説明した。
【００５０】
（基地局の処理手順）
続いて、実施の形態に係る基地局１が行う処理手順について説明する。
【００５１】
図７は、実施の形態に係る基地局の処理手順の一例を示すフローチャートである。図７（ａ）は、報知情報作成部１０２が報知情報を作成して端末２に通知するまでの処理手順を示すフローチャートである。
【００５２】
ステップＳ４０１で、基地局１の報知情報作成部１０２は、ＳＣｅｌｌ候補セル情報記憶部１０１からＳＣｅｌｌ候補セル情報を読み出す。
【００５３】
ステップＳ４０２で、基地局１の報知情報作成部１０２は、読み出したＳＣｅｌｌ候補セル情報を含む報知情報を作成する。
【００５４】
ステップＳ４０３で、基地局１の報知情報作成部１０２はＲＲＣ処理部１０５に報知情報を送信し、ＲＲＣ処理部１０５はデータ送信部１０３を介して報知情報を端末２に向けて送信する。
【００５５】
図７（ｂ）は、ＳＣｅｌｌ追加判定部１０６が適切なＳＣｅｌｌを選択して、ＲＲＣ処理部１０５が選択されたＳＣｅｌｌを端末２に通知する場合の処理手順を示すフローチャートである。
【００５６】
ステップＳ４１１で、ＳＣｅｌｌ追加判定部１０６は、通信開始準備手順Ａの中で端末２からＳＣｅｌｌ候補セルの品質測定結果を受信したか否かを確認する。通信開始準備手順Ａの中で端末２からＳＣｅｌｌ候補セルの品質測定結果を受信していた場合はステップＳ４１２の処理手順に進み、通信開始準備手順Ａの中で端末２からＳＣｅｌｌ候補セルの品質測定結果を受信していない場合は、ステップＳ４１３の処理手順に進む。
【００５７】
ステップＳ４１２で、ＳＣｅｌｌ追加判定部１０６は、端末２から通知された品質測定結果に複数のＳＣｅｌｌ候補セルの品質が含まれている場合、複数のＳＣｅｌｌ候補セルの各々の品質を比較し、端末２がＣＡを行うのに適切な１以上のＳＣｅｌｌを選択する。また、端末２から通知された品質測定結果に１つのＳＣｅｌｌ候補セルの品質のみが含まれている場合、当該ＳＣｅｌｌを、端末２がＣＡに用いるＳＣｅｌｌとするようにしてもよい。続いて、ＳＣｅｌｌ追加判定部１０６は、選択した１以上のＳＣｅｌｌをＲＲＣ処理部１０５に通知する。ＲＲＣ処理部１０５は、通信開始準備手順Ｂの中で、ＳＣｅｌｌ追加判定部１０６により選択された１以上のＳＣｅｌｌを端末２に通知する。
【００５８】
なお、ＳＣｅｌｌ追加判定部１０６は、例えば、端末２から報告された品質測定結果次第では、端末２がＣＡを行うのに適切なＳＣｅｌｌが存在しないと判断するようにしてもよい。通信条件によっては、ＳＣｅｌｌの受信レベルや受信品質が悪く、通信に用いるセルに適さない場合も想定され得るためである。この場合、ＲＲＣ処理部１０５は、通常のＬＴＥ（ＣＡを行わないＬＴＥ）における通信開始準備手順Ｂを行うようにしてもよいし、ステップＳ４１３と同一の処理手順を行っても良い。
【００５９】
ステップＳ４１３で、ＲＲＣ処理部１０５は、図２に示す従来のＣＡにおける処理手順に基づき、通信開始準備手順Ｂの中で、ＳＣｅｌｌ候補セルと、ＳＣｅｌｌ候補セルの品質測定を指示する信号を端末２に通知するようにしてもよいし、通常のＬＴＥ（ＣＡを行わないＬＴＥ）における通信開始準備手順Ｂを行うようにしてもよい。
【００６０】
以上、実施の形態に係る基地局１が行う処理手順について説明した。続いて、実施の形態に係る端末２が行う処理手順について説明する。
【００６１】
図８は、実施の形態に係る端末の処理手順の一例を示すフローチャートである。図８（ａ）は、品質測定部２０４が報知情報を受信して品質測定結果を品質測定結果記憶部２０５に格納するまでの処理手順を示すフローチャートである。なお、図８（ａ）のステップＳ５０１乃至ステップＳ５０４の処理手順は、所定の時間間隔で繰り返し行われるようにしてもよい。
【００６２】
ステップＳ５０１で、品質測定部２０４は、報知情報にＳＣｅｌｌ候補セル情報が含まれているかを確認する。報知情報にＳＣｅｌｌ候補セル情報が含まれている場合はステップＳ５０２の処理手順に進み、報知情報にＳＣｅｌｌ候補セル情報が含まれていない場合は処理を終了する。
【００６３】
ステップＳ５０２で、品質測定部２０４は、ＳＣｅｌｌ候補セル情報に含まれる１以上のセルに対してセルサーチを行い、各セルの品質（例えば、ＲＳＲＰ及びＲＳＲＱ）を測定する。
【００６４】
ステップＳ５０３で、ＳＣｅｌｌ候補セルのうち、少なくとも１つ以上のセルの品質が測定できた場合はステップＳ５０４の処理手順に進み、全てのＳＣｅｌｌ候補セルの品質が測定できなかった場合は処理を終了する。
【００６５】
ステップＳ５０４で、品質測定部２０４は、ＳＣｅｌｌ候補セルの品質測定結果を品質測定結果記憶部２０５に格納する。
【００６６】
なお、図７（ｂ）のステップＳ４１３で説明したように、従来のＣＡにおける処理手順に基づき、通信開始準備手順Ｂの中でＳＣｅｌｌ候補セルの品質測定を指示する信号が通知された場合、品質測定部２０４は、ステップＳ５０２乃至ステップＳ５０４の処理手順を行うようにしてもよい。また、この場合、ＲＲＣ処理部２０３は、コネクション制御信号（例えばＲＲＣ  Ｍｅａｓｕｒｅｍｅｎｔ  Ｒｅｐｏｒｔ信号）に、ＳＣｅｌｌ候補セルの品質測定結果を含めて基地局１に送信するようにしてもよい。これにより、図２に示す従来のＣＡの処理手順（Ｓ１５乃至Ｓ１７）を用いることで、基地局１及び端末２は、ＣＡ状態での通信を開始することができる。
【００６７】
図８（ｂ）は、図６に示す通信開始準備手順Ａの中で、端末２がＳＣｅｌｌ候補セルの品質測定結果を基地局１に送信する際の処理手順を示すフローチャートである。
【００６８】
ステップＳ５１１で、端末２のＲＲＣ処理部２０３は、通信開始準備手順Ａを開始する。
【００６９】
ステップＳ５１２で、端末２のＲＲＣ処理部２０３は、品質測定結果記憶部２０５に、ＳＣｅｌｌ候補セルの品質測定結果が格納されているかを確認する。品質測定結果記憶部２０５に、ＳＣｅｌｌ候補セルの品質測定結果が格納されている場合は、ステップＳ５１３の処理手順に進み、品質測定結果記憶部２０５にＳＣｅｌｌ候補セルの品質測定結果が格納されていない場合は、ステップＳ５１４の処理手順に進む。
【００７０】
ステップＳ５１３で、ＲＲＣ処理部２０３は、通信開始準備手順Ａにおける制御信号の中に、ＳＣｅｌｌ候補セルの品質測定結果を含めて基地局１に送信する。
【００７１】
ステップＳ５１４で、ＲＲＣ処理部２０３は、残りの通信開始準備手順Ａを行う。
【００７２】
以上、実施の形態に係る端末２が行う処理手順について説明した。
【００７３】
＜効果＞
以上、実施の形態に係る通信システムは、報知情報にＳＣｅｌｌ候補セル情報を含めるようにしておき、ＲＲＣ＿Ｉｄｌｅ状態の端末２が、ＲＲＣ＿Ｃｏｎｎｅｃｔｅｄ状態に遷移する前に予めＳＣｅｌｌ候補セルの品質を測定することができるようにした。更に、実施の形態に係る通信システムは、端末２が通信を開始する際に基地局１と端末２との間で送受信される制御信号を用いて、端末２が予め測定したＳＣｅｌｌ候補セルの品質と、ＣＡに用いるＳＣｅｌｌの指示を通知し合うようにした。これにより、実施の形態に係る通信システムは、ＲＲＣ＿Ｉｄｌｅ状態の端末２がＲＲＣ＿Ｃｏｎｎｅｃｔｅｄ状態に遷移して通信を開始する際に、迅速にＣＡ状態で通信を開始することが可能になる。
【００７４】
従来のＣＡ技術では、図２に示すように、ＰＣｅｌｌを用いて通信を開始してからＣＡ状態で通信を開始するまでにＴ１時間を要していた。一方、実施の形態に係る通信システムは、図６に示すように、通信開始準備手順Ｂを完了した時点で、ＣＡ状態で通信を開始することができる。すなわち、ＲＲＣ＿Ｉｄｌｅ状態の端末２がＣＡ状態で通信を開始するまでに必要な時間を、Ｔ１時間短縮することが可能になる。
【００７５】
また、実施の形態に係る通信システムは、端末２が予め測定したＳＣｅｌｌ候補セルの品質測定結果に基づき、端末２がＣＡを行うのに適切な１以上のＳＣｅｌｌを選択するようにした。これにより、実施の形態に係る通信システムにおける端末２及び基地局１は、迅速かつ適切な品質のＳＣｅｌｌが追加されたＣＡ状態で通信を開始することができる。
【００７６】
また、実施の形態に係る通信システムは、所定の時間間隔でＳＣｅｌｌ候補セルの品質測定を行うようにした。これにより、実施の形態に係る通信システムは、端末２が移動してセルの電波状況が変化した場合であっても、最新のＳＣｅｌｌ候補セルの品質測定結果を得ることが可能になる。
【００７７】
また、実施の形態に係る通信システムは、端末２が備えるＧＰＳ（Global Positioning System）や各種センサ等により端末２の移動距離を検出し、検出した移動距離に基づいて、所定の時間間隔を決定するようにした。これにより、実施の形態に係る通信システムは、端末２が移動しない場合又は移動距離が短い場合は、ＳＣｅｌｌ候補セルの品質測定を行う時間間隔を長くすることができ、端末２のバッテリー消費を抑えることが可能になる。
【００７８】
また、実施の形態に係る通信システムは、ＳＣｅｌｌ候補セルの品質測定が出来ていない状態で通信開始準備手順Ａが開始された場合、通信開始準備手順Ｂの中で、基地局１から端末２に対してＳＣｅｌｌ候補セルの品質測定を行うように指示し、指示を受けた端末２は、品質測定結果をコネクション制御信号に含めて基地局１に通知するようにした。これにより、実施の形態に係る通信システムは、従来のＣＡにおける処理手順に従ってＣＡ状態での通信を開始することが可能になり、従来のＣＡにおける処理手順との互換性を保ちつつ、迅速かつ適切な品質のＳＣｅｌｌが追加されたＣＡ状態で通信を開始する技術を提供することができる。
【００７９】
＜実施形態の補足＞
以上、本発明の実施の形態を説明してきたが、開示される発明は実施の形態に限定されず、当業者は様々な変形例、修正例、代替例、置換例等を理解するであろう。発明の理解を促すため具体的な数値を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能構成図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。
【００８０】
以上、実施の形態の全部又は一部は、プログラムによって実装され得る。このプログラムは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８１】
以上、実施の形態において、品質測定部２０４は、測定手段の一例である。品質測定結果は、セルの品質を示す情報の一例である。ＲＲＣ処理部２０３及びデータ送信部２０２は、送信手段の一例である。品質測定結果記憶部２０５は、記憶手段の一例である。ＲＲＣ  Ｃｏｎｎｅｃｔｉｏｎ信号は、コネクション制御信号の一例である。ＲＲＣ処理部２０３は、処理手段の一例である。
【符号の説明】
【００８２】
１  基地局
２  端末
３  アンテナ
１０１  ＳＣｅｌｌ候補セル情報記憶部
１０２  報知情報作成部
１０３  データ送信部
１０４  データ受信部
１０５  ＲＲＣ処理部
１０６  ＳＣｅｌｌ追加判定部
２０１  データ受信部
２０２  データ送信部
２０３  ＲＲＣ処理部
２０４  品質測定部
２０５  品質測定結果記憶部
【図１】
2016152600.tif 000003
【図２】
2016152600.tif 000004
【図３】
2016152600.tif 000005
【図４】
2016152600.tif 000006
【図５】
2016152600.tif 000007
【図６】
2016152600.tif 000008
【図７】
2016152600.tif 000009
【図８】
2016152600.tif 000010